(57)【要約】  Ａ、Ｒ１、Ｒ２、Ｂ、Ｍおよびｎが明細書に記載の通りである一般式（ＩＩＩ）のアゾアントラピリドン染料は、紙、他のセルロース含有材料および織物材料を染色および印刷するための、特に、インクジェット印刷用および筆記用具用の記録液を調製するための、優れたマゼンタ染料である。【選択図】なし
2019501248.tif 000002
【特許請求の範囲】
【請求項１】
一般式（ＩＩＩ）のアントラピリドンアゾ染料
【化１】
2019501248.tif 000033
［式中、
Ａは、非置換または置換ＣＯ−フェニル基（ここで、置換基は、Ｃｌ、Ｂｒ、ＯＣＨ３、ＳＯ３Ｍから成る群から選択される）を表わすか、またはＣＯ−チオフェン基、水素原子、ＣＯＯＣＨ３、ＣＯＯＣＨ２ＣＨ３、ＣＮまたはフェニル基を表わし、
Ｒ１は、水素原子、または１〜８個の炭素原子を有する非置換または置換アルキル基（ここで、置換基は、ＯＨ、ＳＯ３Ｍ、ＣＯＯＭから成る群から選択される）を表わし、
Ｒ２は、水素原子またはＳＯ３Ｍを表わし、
Ｂは、１〜６個の炭素原子を有する非置換または置換ＣＯ−脂肪族基（ここで、置換基は、Ｃｌ、Ｂｒ、ＳＯ３Ｍ、ＣＯＯＭおよびフェニルから成る群から選択される）を表わすか、または、
非置換または置換ＣＯ−芳香族環基（ここで、置換基は、アルキル、アルコキシ、Ｃｌ、Ｂｒ、ＯＨ、ＣＯＯＭ、ＣＮ、ＮＯ２、ＳＯ３Ｍおよびフェニルから成る群から選択される）を表わすか、またはＣＯ−複素環式環基を表わすか、または、
１〜６個の炭素原子を有する置換または非置換ＳＯ２−脂肪族基、またはＳＯ２−芳香族環基（ここで、置換基は、アルキル、アルコキシ、Ｃｌ、Ｂｒ、ＣＮ、ＮＯ２、ＳＯ３Ｍおよびフェニルから成る群から選択される）を表わすか、またはＳＯ２−複素環式環基を表わすか、または、
式Ｃの部分
【化２】
2019501248.tif 000034
［式中、Ｌ１およびＬ２は、独立に、ＯＨ、Ｃｌ、１〜６個の炭素原子を有するアルコキシ、１〜６個の炭素原子を有する置換チオアルキル（ここで、置換基は、ＯＨ、ＣＯＯＭおよびＳＯ３Ｍから成る群から選択される）を表わすか、またはＮＲ６Ｒ７（ここで、Ｒ６Ｒ７は、独立に、Ｈ、１〜６個の炭素原子を有する置換基を表わし、該置換基は、ＯＨ、ＣＯＯＭおよびＳＯ３Ｍから成る群から選択される）を表わすか、または式Ｄの部分
【化３】
2019501248.tif 000035
を表わす］
を表わすか、または、
式Ｅの部分
【化４】
2019501248.tif 000036
［式中、Ｌ１およびＬ２は、独立に、ＯＨ、Ｃｌ、１〜６個の炭素原子を有するアルコキシ、１〜６個の炭素原子を有する置換チオアルキル（ここで、置換基は、ＯＨ、ＣＯＯＭおよびＳＯ３Ｍから成る群から選択される）を表わすか、またはＮＲ６Ｒ７（ここで、Ｒ６Ｒ７は、独立に、Ｈ、１〜６個の炭素原子を有する置換基を表わし、該置換基は、ＯＨ、ＣＯＯＭおよびＳＯ３Ｍから成る群から選択される）を表わす］
を表わし、
Ｍは、水素、金属カチオンまたはアンモニウムカチオン（それぞれ１〜１８個の炭素原子を有する１つまたは複数のアルキル基または置換アルキル基またはヒドロキシアルコキシアルキル基によって、置換されていてもよい）を表わし、
ｎは０または１であり、ＳＯ３Ｍは３位または４位に存在する］。
【請求項２】
Ａ、Ｂ、Ｒ１、Ｍおよびｎが請求項１のように定義され、Ｒ２が水素を表わす、請求項１に記載のアントラピリドンアゾ染料。
【請求項３】
Ａ、Ｒ２、Ｍ、ｎおよびＢが請求項２のように定義され、Ｒ１が水素またはＣＨ３を表わす、請求項２に記載のアントラピリドンアゾ染料。
【請求項４】
Ａ、Ｒ１、Ｒ２、ＭおよびＢが請求項３のように定義され、ｎが１であり、ＳＯ３Ｍが３位または４位に存在する、請求項３に記載のアントラピリドンアゾ染料。
【請求項５】
Ａ、Ｒ１、Ｒ２、ＢおよびＭが請求項４のように定義され、ｎが１であり、ＳＯ３Ｍが４位に存在する、請求項４に記載のアントラピリドンアゾ染料。
【請求項６】
Ａ、Ｒ１、Ｒ２、Ｍおよびｎが請求項５のように定義され、
Ｂが、１〜６個の炭素原子を有する非置換または置換ＣＯ−脂肪族基（ここで、置換基は、Ｃｌ、Ｂｒ、ＳＯ３Ｍ、ＣＯＯＭおよびフェニルから成る群から選択される）を表わすか、または、
非置換または置換ＣＯ−芳香族環基（ここで、置換基は、アルキル、アルコキシ、Ｃｌ、Ｂｒ、ＯＨ、ＣＯＯＭ、ＣＮ、ＮＯ２、ＳＯ３Ｍおよびフェニルから成る群から選択される）、またはＣＯ−複素環式環基を表わすか、または、
１〜６個の炭素原子を有する置換または非置換ＳＯ２−脂肪族基、またはＳＯ２−芳香族環基（ここで、置換基は、アルキル、アルコキシ、Ｃｌ、Ｂｒ、ＣＮ、ＮＯ２、ＳＯ３Ｍおよびフェニルから成る群から選択される）、またはＳＯ２−複素環式環基を表わす、
請求項５に記載のアントラピリドンアゾ染料。
【請求項７】
請求項１に記載のアントラピリドンアゾ染料の調製方法であって、
一般式（ＩＶ）のβ−ケトエステル
【化５】
2019501248.tif 000037
［式中、Ａは請求項１のように定義される］を、
式（Ｖ）の化合物
【化６】
2019501248.tif 000038
［式中、Ｒ１およびＲ２は請求項１のように定義され、Ｙは、クロロ、ブロモまたは他の脱離基を表わす］と、
式（ＶＩ）のアントラピリドン
【化７】
2019501248.tif 000039
が形成される条件下で反応させ、次に、Ａ、Ｒ１およびＲ２が請求項１のように定義される一般式（ＶＩ）のアントラピリドンを、ｍ−フェニレンジアミンと、
一般式（ＶＩＩ）のアントラピリドン染料
【化８】
2019501248.tif 000040
が形成される条件下で反応させ、Ａ、Ｒ１およびＲ２が請求項１のように定義される一般式（ＶＩＩ）のアントラピリドンを、スルファミン酸または発煙硫酸と、
一般式（ＶＩＩＩ）のアントラピリドン染料
【化９】
2019501248.tif 000041
が形成される条件下で反応させ、次に、
一般式（ＩＸ）の化合物
【化１０】
2019501248.tif 000042
［式中、Ｍ、Ｂおよびｎは請求項１のように定義される］
を用いて、本発明の一般式（ＩＩＩ）のアントラピリドンアゾ染料が形成される条件下で、ジアゾ化し、カップリングすることによって行われる、請求項１に記載のアントラピリドンアゾ染料の調製方法。
【請求項８】
請求項１に記載のアントラピリドンアゾ染料を適用することによって行われる、テキストおよび画像を記録用紙に記録し、天然または合成繊維材料、ナノ多孔質材料、織物、革およびアルミニウムを染色および印刷する方法。
【請求項９】
少なくとも１つの請求項１に記載のアントラピリドンアゾ染料、または該アントラピリドンアゾ染料の混合物を含有する、液体染料調製物。
【請求項１０】
１つまたは複数の他のマゼンタ染料をさらに含有する、請求項１〜６に記載の液体染料調製物。
【請求項１１】
少なくとも１つの請求項１〜６のいずれか一項に記載のアントラピリドンアゾ染料、または該アントラピリドンアゾ染料の混合物を含有する、インクジェット印刷用記録液。
【請求項１２】
請求項１０に記載のインクジェット印刷用の記録液であって、１つまたは複数のマゼンタ顔料分散体（ピグメントレッド１２２またはピグメントバイオレット１９またはピグメントレッド２０２を含有）、またはＥＰ０７５４２０７、ＥＰ１２１９６８２、ＥＰ１３６７０９８またはＥＰ１４０３３２８のような染料をさらに含有し、液相中の前記染料の量が液相の総重量に基づいて０．５〜２０ｗｔ％の範囲である、請求項１０に記載のインクジェット印刷用記録液。
【請求項１３】
請求項１０または１１に記載のインクジェット印刷用の記録液であって、液相が、１つまたは複数の下記成分：水、Ｎ−メチル−２−ピロリドン、２−ピロリドン、ヒドロキシエチルピロリドン、１，２−ヘキサンジオール、１，２−ブタンジオール、トリメチロールプロパン、ジエチレングリコールモノブチルエーテル、トリエチレングリコールモノブチルエーテル、ジプロピレングリコールモノブチルエーテル、グリセリン、ブチルラクテート、カプロラクタム、スルホラン、グリコールエーテル溶剤、殺生物剤を、液相の総重量に基づいて０．０１〜５０ｗｔ％の範囲でさらに含有する、請求項１０または１１に記載のインクジェット印刷用記録液。
【請求項１４】
基材に液相を適用する方法であって、少なくとも下記の工程、
α）基材を準備する工程と、
β）請求項９〜１２のいずれか一項に記載の液相を含有する容器を準備する工程と、
γ）少なくとも一部の液相を、容器から基材に移動させる工程と、
δ）水、および任意に溶剤を、基材から除去する工程と、
を含む、基材に液相を適用する方法。
【請求項１５】
印刷物であって、
Ａ．基材と、
Ｂ．請求項１〜６のいずれか一項に記載の式（ＩＩＩ）の染料を少なくとも含有する層と、
を含む、印刷物。
【請求項１６】
インクジェット印刷用および筆記用具用のインクにおける、またはカラーフィルタおよび着色物の製造ならびに光学用途および光電子工学用途のための染色溶液における、請求項１〜６のいずれか一項に記載の染料の使用。
【発明の詳細な説明】
【技術分野】
【０００１】
本発明は、新規アントラピリドンアゾ染料およびそれらの塩、それらの調製方法、ならびに染色操作および印刷操作におけるそれらの使用に関する。本発明は、さらに、少なくとも１つのこれらのモノアゾ染料を含有する液体染料調製物、特に、インクジェット印刷用および筆記用具用の水性記録液に関する。
【背景技術】
【０００２】
インクジェット印刷は、多くの分野において、古典的な画像再生法にとって代わるか、または補っている。インクジェット印刷は、顕著な成熟度に達しているが、特にグラフィックおよび写真の分野において、さらなる改善が必要とされている。現代のインクジェットプリンタは、これらの分野において、多種多様な記録用紙、例えば、ポリマー系記録用紙または迅速乾燥ナノ多孔質記録用紙に、最適印刷を与える必要がある。これらの分野において、光および酸化性ガス（オゾン、ＮＯｘ）に対する安定性だけでなく、印刷画像の広い色空間（色域）も、基本原理である。これは、これらの記録用紙に適合させた記録液（それぞれ、染料がその中に含有されている）の微細調整系を使用することによってのみ達成できる。
【０００３】
インクジェット印刷用の記録液に使用されている大部分の市販マゼンタ染料は、ポリマー系記録用紙およびナノ多孔質記録用紙との組合せにおいて、全ての必要条件を満たしているわけではない。今日使用されているマゼンタ染料は、全ての要求特性、例えば、好適な色相、非常に高い輝度（彩度）、良好な光安定性、良好な耐オゾン劣化性、記録用紙表面における無染料凝集（「ブロンジング」）、優れた耐拡散性、および優れた溶解性、ならびに主として水性の記録液における低い粘度および高い色濃度を有しているわけではない。
【０００４】
極めて多くの種々のマゼンタ染料が、インクジェット印刷用の染料として既に提案されているが、いずれも全ての必要条件を満たしているわけではない。
【０００５】
【化１】
2019501248.tif 000003
米国特許第６１５２９６９号明細書（実施例番号６）に記載されている式（Ｉ）のマゼンタ染料、および式（ＩＩ）の市販のＢａｙｓｃｒｉｐｔ（登録商標）Ｍａｇｅｎｔａ  ＢＢ（リアクティブレッド１４１）は、現状技術を示している。
【化２】
2019501248.tif 000004
【０００６】
高値のＣ＊（Ｌ＊Ｃ＊ｈ、Ｃ＊は彩度値である）を有する優れた色再現（拡張色域）を有し、現状技術と同様の着色特性のためにより少ない染料材料を必要とする高彩度を有し、任意のタイプの記録媒体（例えば、普通紙またはコート紙、コートまたは非コートの不透明または透明の合成材料）における該高彩度を有するマゼンタ画像または着色を与える必要があるインクジェット印刷用の記録液の配合物において、（Ｉ）型の染料を使用した場合に、これらのアントラピリドン染料は良好な彩度を有さないかまたは青みを帯びすぎているので、全ての要求を満たすわけではない。
【０００７】
（ＩＩ）型の染料は、他の要求、例えば、良好な光安定性および良好な耐オゾン劣化性を満たしていない。
【０００８】
さらに、これらの染料は、水性記録液において粘度増加を誘発すべきでない。そのような記録液に使用される染料は、基本水性記録液への高溶解性を有する必要があり、該染料は記録用紙に浸透する必要があり、記録用紙の表面に染料凝集（「ブロンジング」）を示すべきでない。該染料は、不利な条件下でも、高輝度、高光学密度、良好な耐水性、良好な光安定性および良好な貯蔵安定性を有する印刷画像を与える必要がある。該染料は、記録液が不利な条件下で長時間貯蔵される場合でも、記録液中で安定である必要がある。種々のタイプの組成物が記録液として提案されている。典型的な記録液は、１つまたは複数の染料または／および顔料、水、有機補助溶剤ならびに他の成分を含有する。
【０００９】
記録液は、下記の基準を満たす必要がある。
（１）記録液は、どのようなタイプの記録用紙においても、優れた品質の画像を与える。
（２）記録液は、良好な耐水性を示す画像を与える。
（３）記録液は、良好な光安定性を示す画像を与える。
（４）記録液は、良好な耐オゾン劣化性を示す画像を与える。
（５）記録液は、優れた耐摩耗性を示す画像を与える。
（６）記録液は、高温および高湿条件下で、優れた貯蔵安定性を示す画像を与える。
（７）記録液は、記録が長期間停止されている間に蓋が外れたままである場合でも、インクジェットプリンタの噴射ノズルを詰まらせない。
（８）記録液は、該記録液の品質を劣化させずに長期間貯蔵しうる。
（９）記録液の物理的特性、例えば、粘度、導電性および表面張力は全て、意図する使用に適合した規定範囲内である。
（１０）記録液は、非毒性、不燃性および安全でなければならない。
【先行技術文献】
【特許文献】
【００１０】
【特許文献１】米国特許第６１５２９６９号明細書
【発明の概要】
【００１１】
本発明の目的は、青み〜赤みの広範囲の色相を有する純マゼンタ色を有し、優れた光安定性および優れた耐オゾン劣化性を有する、新規な十分水溶性のアントラピリドンアゾ染料を提供することである。これに加えて、本発明の染料は、高彩度を与え、かつ現状技術の化合物に匹敵するインクジェット用紙上の印刷光学密度を達成するために、記録液中により少量の着色剤を必要とする。
【００１２】
本発明のさらなる目的は、任意のタイプの記録紙、例えば、普通紙またはコート紙、コートまたは非コートの不透明または透明の合成材料においてスペクトル的不変色相を示す液体染料調製物、特に、インクジェット印刷用の記録液を提供することである。
【００１３】
本発明のさらなる目的は、前記の全ての要求を満たす記録液を提供することである。
【発明の詳細な説明】
【００１４】
本発明は、一般式（ＩＩＩ）の新規アントラピリドンアゾ染料に関する。
【化３】
2019501248.tif 000005
［式中、
Ａは、非置換または置換ＣＯ−フェニル基（ここで、置換基は、Ｃｌ、Ｂｒ、ＯＣＨ３、ＳＯ３Ｍから成る群から選択される）を表わすか、またはＣＯ−チオフェン基、水素原子、ＣＯＯＣＨ３、ＣＯＯＣＨ２ＣＨ３、ＣＮまたはフェニル基を表わし、
Ｒ１は、水素原子、または１〜８個の炭素原子を有する非置換または置換アルキル基（ここで、置換基は、ＯＨ、ＳＯ３Ｍ、ＣＯＯＭから成る群から選択される）を表わし、
Ｒ２は、水素原子またはＳＯ３Ｍを表わし、
Ｂは、１〜６個の炭素原子を有する非置換または置換ＣＯ−脂肪族基（ここで、置換基は、Ｃｌ、Ｂｒ、ＳＯ３Ｍ、ＣＯＯＭおよびフェニルから成る群から選択される）を表わすか、または、
非置換または置換ＣＯ−芳香族環基（ここで、置換基は、アルキル、アルコキシ、Ｃｌ、Ｂｒ、ＯＨ、ＣＯＯＭ、ＣＮ、ＮＯ２、ＳＯ３Ｍおよびフェニルから成る群から選択される）を表わすか、またはＣＯ−複素環式環基を表わすか、または、
１〜６個の炭素原子を有する置換または非置換ＳＯ２−脂肪族基、またはＳＯ２−芳香族環基（ここで、置換基は、アルキル、アルコキシ、Ｃｌ、Ｂｒ、ＣＮ、ＮＯ２、ＳＯ３Ｍおよびフェニルから成る群から選択される）を表わすか、またはＳＯ２−複素環式環基を表わすか、または、
式Ｃの部分
【化４】
2019501248.tif 000006
［式中、Ｌ１およびＬ２は、独立に、ＯＨ、Ｃｌ、１〜６個の炭素原子を有するアルコキシ、１〜６個の炭素原子を有する置換チオアルキル（ここで、置換基は、ＯＨ、ＣＯＯＭおよびＳＯ３Ｍから成る群から選択される）を表わすか、またはＮＲ６Ｒ７（ここで、Ｒ６Ｒ７は、独立に、Ｈ、１〜６個の炭素原子を有する置換基を表わし、該置換基は、ＯＨ、ＣＯＯＭおよびＳＯ３Ｍから成る群から選択される）を表わすか、または、式Ｄの部分
【化５】
2019501248.tif 000007
を表わす］
を表わすか、または、
式Ｅの部分
【化６】
2019501248.tif 000008
［式中、Ｌ１およびＬ２は、独立に、ＯＨ、Ｃｌ、１〜６個の炭素原子を有するアルコキシ、１〜６個の炭素原子を有する置換チオアルキル（ここで、置換基は、ＯＨ、ＣＯＯＭおよびＳＯ３Ｍから成る群から選択される）を表わすか、またはＮＲ６Ｒ７（ここで、Ｒ６Ｒ７は、独立に、Ｈ、１〜６個の炭素原子を有する置換基を表わし、該置換基は、ＯＨ、ＣＯＯＭおよびＳＯ３Ｍから成る群から選択される）を表わす］
を表わし、
Ｍは、水素、金属カチオンまたはアンモニウムカチオン（それぞれ１〜１８個の炭素原子を有する１つまたは複数のアルキル基または置換アルキル基またはヒドロキシアルコキシアルキル基によって、置換されていてもよい）を表わし、
ｎは０または１であり、ＳＯ３Ｍは３位または４位に存在する］
【００１５】
下記のように定義されるアントラピリドンアゾ染料が好ましい。
ＡおよびＭが前記のように定義され、
Ｒ１が、水素またはメチル基を表わし、
Ｒ２が、水素を表わし、
Ｂが、非置換または置換ＣＯ−脂肪族基またはＣＯ−芳香族基またはＣＯ−複素環式環基、置換または非置換ＳＯ２−脂肪族基またはＳＯ２−芳香族基またはＳＯ２−複素環式環基を表わし、ここで、置換基は、アルキル、アルコキシ、Ｃｌ、Ｂｒ、ＯＣＨ３、ＳＯ３Ｍおよびフェニルから成る群から選択され、
ｎが１であり、ＳＯ３Ｍが３位または４位に存在する。
【００１６】
Ａ、Ｒ１、Ｒ２、ＢおよびＭが前記のように定義され、ｎが１であり、ＳＯ３Ｍが４位に存在するアントラピリドンアゾ染料が特に好ましい。
【００１７】
Ｍが特定されている表１に、一般式（ＩＩＩ）の調製染料が記載されている。
【化７】
2019501248.tif 000009
【化８】
2019501248.tif 000010
【化９】
2019501248.tif 000011
【化１０】
2019501248.tif 000012
【化１１】
2019501248.tif 000013
【化１２】
2019501248.tif 000014
【化１３】
2019501248.tif 000015
【化１４】
2019501248.tif 000016
【化１５】
2019501248.tif 000017
【化１６】
2019501248.tif 000018
【化１７】
2019501248.tif 000019
【化１８】
2019501248.tif 000020
【００１８】
一般式（ＩＩＩ）の調製染料が、水溶液（緩衝液ｐＨ７．０）中の該調製染料の吸収極大の位置と共に、表１に記載されている。
【表１】
2019501248.tif 000021
【００１９】
一般式（ＩＩＩ）の化合物は、遊離酸形態、またはその無機塩の形態であってもよい。
【００２０】
好ましくは、該化合物は、それらのアルカリ塩またはアンモニウム塩の形態であり、アンモニウムカチオンは置換されていてもよい。
【００２１】
そのような置換アンモニウムカチオンの例は、２−ヒドロキシエチルアンモニウム、ビス−（２−ヒドロキシエチル）−アンモニウム、トリス−（２−ヒドロキシエチル）−アンモニウム、ビス−（２−ヒドロキシエチル）−メチル−アンモニウム、トリス−［２−（２−メトキシエトキシ）−エチル］−アンモニウム、８−ヒドロキシ−３，６−ジオキサオクチルアンモニウムおよびテトラアルキルアンモニウム、例えば、テトラメチルアンモニウムまたはテトラブチルアンモニウムである。
【００２２】
本発明は、一般式（ＩＩＩ）の純粋アントラピリドンアゾ染料だけでなく、これらの化合物の混合物にも関する。
【００２３】
本発明は、本発明の一般式（ＩＩＩ）の染料の調製方法にも関し、該調製方法は下記を特徴とする。
一般式（ＩＶ）のβ−ケトエステル
【化１９】
2019501248.tif 000022
［式中、Ａは前記のように定義される］を、
式（Ｖ）の化合物
【化２０】
2019501248.tif 000023
［式中、Ｒ１およびＲ２は前記のように定義され、Ｙは、クロロ、ブロモまたは他の脱離基を表わす］と、
式（ＶＩ）のアントラピリドン
【化２１】
2019501248.tif 000024
が形成される条件下で、反応させる。
【００２４】
Ａ、Ｒ１およびＲ２が前記のように定義される一般式（ＶＩ）のアントラピリドンを、ｍ−フェニレンジアミンと、
一般式（ＶＩＩ）のアントラピリドン染料
【化２２】
2019501248.tif 000025
が形成される条件下で、反応させる。
【００２５】
Ａ、Ｒ１およびＲ２が前記のように定義される一般式（ＶＩＩ）のアントラピリドン染料を、スルファミン酸または発煙硫酸と、
該染料がスルホン化されて一般式（ＶＩＩＩ）のアントラピリドン染料
【化２３】
2019501248.tif 000026
を生じる条件下で、反応させる。
【００２６】
Ａ、Ｒ１、Ｒ２およびＭが前記のように定義される一般式（ＶＩＩＩ）のアントラピリドン染料を、
一般式（ＩＸ）の化合物
【化２４】
2019501248.tif 000027
［式中、Ｍ、Ｂおよびｎは前記のように定義される］を用いて、
本発明の一般式（ＩＩＩ）のアントラピリドンアゾ染料が形成される条件下で、ジアゾ化し、反応させる。
【００２７】
本発明の一般式（ＩＩＩ）のアントラピリドンアゾ染料は、良好な耐水性および光安定性を有する染色材料を提供するために、セルロース含有材料、ナノ多孔質インクジェット用紙、普通紙、綿、ビスコース、革、アルミニウム板および羊毛を染色するために使用される。
【００２８】
織物工業および製紙工業において周知の、直接染料で染色する全ての方法を、特にサイズ紙または無サイズ紙の全体処理または表面処理に使用しうる。該染料は、高級アルコールによる吸尽法、または連続法によって、綿、ビスコースおよび亜麻の糸または反物を染色することにも使用しうる。
【００２９】
本発明は、さらに、少なくとも１つの一般式（ＩＩＩ）のアントラピリドンアゾ染料を含有する液体染料調製物に関する。そのような液体染料調製物の使用は、紙染色に特に好ましい。そのような安定した、液体の、好ましくは水性の、濃縮染料調製物は、当分野で周知の方法を用いることによって、好ましくは好適な溶剤に溶解させることによって、得ることができる。
【００３０】
例えば反応溶液のナノ濾過による脱塩工程後に、染料の中間分離を行わずに、染料合成自体の間に、そのような安定な水性の濃縮調製物を調製できることは、特に有利である。
【００３１】
一般式（ＩＩＩ）の染料またはその染料の混合物は、インクジェット印刷用記録液の調製用の、優れた染料である。
【００３２】
本発明の一般式（ＩＩＩ）のアントラピリドンアゾ染料は、他のマゼンタ染料、特に、特許出願ＥＰ０７５４２０７、ＥＰ１１６０２９１、ＥＰ１２１９６８２およびＥＰ１４０３３２８に記載されている染料と、うまく組み合わしうる。
【００３３】
インクジェット印刷用のインクセットにおいて、本発明の式（ＩＩＩ）のアントラピリドンアゾ染料は、例えば特許出願ＥＰ０７５５９８４およびＥＰ１８８２７２３に記載されている黄色染料と共に、および例えば特許出願ＥＰ１８６７６８５に記載されているシアン染料と共に、最適色空間に広がる。さらに、記録液に使用される３色染料は、光およびオゾンによる劣化に対して同様の耐性を有する。
【００３４】
典型的な記録液は、液体水性媒体中に、１つまたは複数の本発明のアントラピリドンアゾ染料を含有する。記録液は、記録液の総重量に基づいて、０．５重量％〜２０重量％、好ましくは０．５重量％〜８重量％のこれらのアントラピリドンアゾ染料を含有する。液体媒体は、好ましくは、水、または水と水混和性有機溶剤との混合物である。好適な溶剤は、例えば、米国特許第４６２６２８４号、第４７０３１１３号および第４９６３１８９号、ならびに特許出願ＧＢ２２８９４７３、ＥＰ０４２５１５０およびＥＰ０５９７６７２に記載されている。
【００３５】
請求の範囲に記載されている化合物の範囲を決して限定することなく、本発明を下記の実施例によってより詳しく説明する。
【実施例】
【００３６】
実施例１
Ｒ１＝Ｈ、ＭはＮａである、表１のアントラピリドン染料（１０Ａ）を下記の方法で調製した。
【００３７】
式（Ｘ）の臭素化アントラピリドン化合物の調製
７５．５ｇ（０．２５ｍｏｌ）の１−アミノ−４−ブロムアントラキノン（Ｓｉｇｍａ−Ａｌｄｒｉｃｈ  ＧｍｂＨ，Ｂｕｃｈｓ、Ｓｗｉｔｚｅｒｌａｎｄから入手可能）、５９．５ｇ（０．３ｍｏｌ）のエチルベンゾイルアセテート９７％（Ｓｉｇｍａ−Ａｌｄｒｉｃｈ  ＧｍｂＨ，Ｂｕｃｈｓ，Ｓｗｉｔｚｅｒｌａｎｄから入手可能）、３．９ｇ（０．０４ｍｏｌ）の酢酸カリウム、および１２５ｍＬの１，２−ジクロロベンゼンを、窒素雰囲気下に、１４０℃の温度で、２２時間撹拌した。約１２ｍＬのエタノールを、蒸留によって反応混合物から除去した。次に、得られた分散体を室温に冷却し、生成物を吸引採取し、エタノールで十分に洗浄し、乾燥させた。７０．２ｇの式（Ｘ）の生成物をこのようにして得た。
【化２５】
2019501248.tif 000028
【００３８】
式（ＸＩ）の染料の調製
３４．４ｇ（０．０８ｍｏｌ）の式（Ｘ）のブロモアントラピリドン、１７．５ｇ（０．１６ｍｏｌ）のフェニレンジアミン９９％（Ｓｉｇｍａ−Ａｌｄｒｉｃｈ  ＧｍｂＨ，Ｂｕｃｈｓ、Ｓｗｉｔｚｅｒｌａｎｄから入手可能）、０．８ｇの酢酸銅（ＩＩ）、および１００ｍＬのＮ−メチルピロリドンを、窒素雰囲気下に、１４０℃の温度で、４８時間撹拌した。次に、その混合物を室温に冷却し、２００ｍＬの水をその反応混合物に添加した。沈殿生成物を濾取し、水で十分に洗浄した。乾燥後、４１．７ｇの式（ＸＩ）の染料を得た。
【化２６】
2019501248.tif 000029
【００３９】
式（ＸＩ）のアントラピリドン染料のスルホン化
Ａ）スルファミン酸を使用するＮＭＰ中での式（ＸＩ）のアントラピリドン染料のスルホン化
１５．７ｇ（０．０３ｍｏｌ）の式（ＸＩ）のアントラピリドン、１４．６ｇ（０．１５ｍｏｌ）のスルファミン酸、および５０ｍＬのＮ−メチルピロリドンを、窒素雰囲気下に、１２０℃の温度で、３時間撹拌した。次に、その反応混合物を室温に冷却し、１００ｍＬのイソプロパノールを添加して、生成物を沈殿させた。次に、式（ＶＩＩＩＡ）の沈殿スルホン化染料を吸引採取し、イソプロパノールで洗浄した。得られた固形物を１００ｍＬの水に溶解させ、還流下に撹拌し、得られた溶液を透明濾過することによって、粗生成物の精製を行った。次に、１５ｇの塩化ナトリウムの添加によって、その生成物を沈殿させ、吸引採取した。乾燥後、１６．１ｇの式（ＶＩＩＩＡ）の生成物を得た。
【化２７】
2019501248.tif 000030
または、
【００４０】
Ｂ）発煙硫酸中での式（ＸＩ）のアントラピリドン染料のスルホン化
式（ＸＩ）のアントラピリドンのスルホン化を、２０％発煙硫酸および硫酸９８％において９０℃で２時間行った。その反応混合物を、砕いた氷に浸け、式（ＶＩＩＩＢ）の生成物をＮａＣｌで沈殿させた。
【化２８】
2019501248.tif 000031
【００４１】
染料（１０Ａ）の調製
１．３ｇ（２ｍｍｏｌ）の式（ＶＩＩＩＡ）のアントラピリドン染料を、２０ｍＬの蒸留水に溶解させた。得られた溶液を０℃〜５℃の温度に冷却し、その溶液に、１．５ｍＬの塩酸水溶液（３７％）を撹拌下に添加し、０．５ｍＬの亜硝酸ナトリウムの水溶液（４Ｎ）を、０℃〜１０℃の温度に維持しながら、ゆっくり添加した。次に、その反応混合物をこの温度で１時間撹拌した。過剰の亜硝酸を、スルファミン酸の反応によって除去した。次に、ジアゾニウム懸濁液を、１０ｍＬの蒸留水中の０．８５ｇの式（ＩＸ）のベンゾイルＨ酸（ＣＡＳ１１７−４６−４）に、５〜１０℃で、撹拌下に、水酸化ナトリウム（１Ｎ）の同時添加によりｐＨを５．０〜８．０の数値に維持しながら、ゆっくり添加した。添加を終了し、撹拌を０℃〜５℃の温度で２時間継続し、次に、室温に温めた。２時間後、染料溶液を透明濾過し、次に、４．０ｇの酢酸ナトリウムの添加により沈殿させ、濾取した。粗染料を、３０ｍＬのエタノール水溶液（７０％）で精製した。乾燥後、１．２ｇの染料（１０Ａ）をそのナトリウム塩の形態で得た。
【００４２】
実施例２
ＭがＮａである表１のアントラピリドンアゾ染料（１０Ｂ）を、実施例１のように調製した。ただし、（Ｘ）の調製において、１−メチルアミノ−４−ブロモアントラキン（ＣＡＳ１２８−９３−８）を、実施例１における１−アミノ−４−ブロモアントラキノン（ＣＡＳ８１−６２−９）の代わりに使用した。
【００４３】
実施例３
表１のアントラピリドンアゾ染料（１１Ａ）の調製
１．３ｇ（２ｍｍｏｌ）の式（ＶＩＩＩＡ）のアントラピリドン染料を、２０ｍＬの蒸留水に溶解させた。得られた溶液を０℃〜５℃の温度に冷却し、その溶液に、１．５ｍＬの塩酸水溶液（３７％）を撹拌下に添加し、０．５ｍＬの亜硝酸ナトリウムの水溶液（４Ｎ）を、０℃〜１０℃の温度に維持しながら、ゆっくり添加した。次に、その反応混合物をこの温度で１時間撹拌した。過剰の亜硝酸を、スルファミン酸の反応によって除去した。
【００４４】
式（ＩＸ）のトシルＨ酸の合成
４２．６ｇのＨ酸（７５％、ＭＷ３１９．３ｇ／ｍｏｌ、ＣＡＳ９０−２０−０）０．１ｍｏｌを、フラスコ中で、４０ｍＬの水で懸濁させた。その灰色懸濁液を７０℃に加熱し、１０．８ｇの３０％水酸化ナトリウム溶液でｐＨを３の数値に調節した。２１ｇの３０％水酸化ナトリウム溶液を使用してｐＨを３の数値に維持しながら、２２．３ｇのｐ−トルエンスルホニルクロリド９９％を、その暗色溶液にゆっくり添加した。次に、２０ｇの酢酸ナトリウムを使用してｐＨを６の数値にした。次に、その反応混合物を回転蒸発器で濃縮し、室温に冷却した。得られた生成物を濾取し、２０ｍＬのメタノールで洗浄した。このようにして、トシルＨ酸を７７％の収率で得た。
【００４５】
次に、ジアゾニウム懸濁液を、１０ｍＬの蒸留水中の０．８５ｇのトシルＨ酸に、５〜１０℃で、撹拌下に、水酸化ナトリウム（１Ｎ）の同時添加によりｐＨを５．０〜８．０の数値に維持しながら、ゆっくり添加した。添加を終了し、撹拌を０℃〜５℃の温度で２時間継続し、次に、室温に温めた。２時間後、染料溶液を透明濾過し、次に、４．０ｇの酢酸ナトリウムの添加により沈殿させ、濾取した。粗染料を、３０ｍＬのエタノール水溶液（７０％）で精製した。乾燥後、１．１ｇの染料（１１Ａ）をそのナトリウム塩の形態で得た。
【００４６】
実施例４
ＭがＮａである表１のアントラピリドンアゾ染料（１１Ｂ）を、実施例３のように調製した。ただし、（Ｘ）の調製において、１−メチルアミノ−４−ブロモアントラキン（ＣＡＳ１２８−９３−８）を、実施例３の１−アミノ−４−ブロモアントラキノン（ＣＡＳ８１−６２−９）の代わりに使用した。
【００４７】
実施例５
ＭがＮａである表１のアントラピリドンアゾ染料（１２Ａ）を、実施例３のように調製した。ただし、式（ＩＸ）の化合物に関して、トシルＫ酸を、実施例３のトシルＨ酸の代わりに使用した。トシルＫ酸の合成に関して、Ｋ酸（ＣＡＳ１３０−２３−４）を、実施例３のＨ酸（ＣＡＳ９０−２０−０）の代わりに使用した。
【００４８】
実施例６
ＭがＮａである表１のアントラピリドンアゾ染料（１２Ｂ）を、実施例５のように調製した。ただし、（Ｘ）の調製において、１−メチルアミノ−４−ブロモアントラキノン（ＣＡＳ１２８−９３−８）を、１−アミノ−４−ブロモアントラキノン（ＣＡＳ８１−６２−９）の代わりに使用した。
【００４９】
実施例７
ＭがＮａである表１のアントラピリドンアゾ染料（１２Ｃ）を、実施例１のように調製した。ただし、（ＶＩＩＩＢ）の調製において、１−メチルアミノ−４−ブロモアントラキノン（ＣＡＳ１２８−９３−８）を、１−アミノ−４−ブロモアントラキノン（ＣＡＳ８１−６２−９）の代わりに使用し、式（ＩＸ）に関しては、トシルＫ酸を、実施例１のベンゾイルＨ酸の代わりに使用した。
【００５０】
実施例８
ＭがＮａである表１のアントラピリドンアゾ染料（１３Ａ）を、実施例１のように調製した。ただし、式（ＩＸ）の化合物に関して、ベンゾイルＫ酸を、実施例１のベンゾイルＨ酸の代わりに使用した。
【００５１】
実施例９
ＭがＮａである表１のアントラピリドンアゾ染料（１３Ｂ）を、実施例８のように調製した。ただし、（Ｘ）の調製において、１−メチルアミノ−４−ブロモアントラキノン（ＣＡＳ１２８−９３−８）を、実施例８の１−アミノ−４−ブロモアントラキノン（ＣＡＳ８１−６２−９）の代わりに使用した。
【００５２】
実施例１０
ＭがＮａである表１のアントラピリドンアゾ染料（１４）を、実施例１のように調製した。ただし、式（ＩＸ）の化合物に関して、４−（２−ヒドロキシベンズアミノ）−５−ヒドロキシナフタレン−２，７−ジスルホン酸を、実施例１のベンゾイルＨ酸の代わりに使用した。
【００５３】
実施例１１
ＭがＮａである表１のアントラピリドンアゾ染料（１５）を、実施例１のように調製した。ただし、エチルマロニルクロリド（ＣＡＳ３６２３９−０９−５）を、実施例１の（Ｘ）の調製におけるエチルベンゾイルアセテート（ＣＡＳ９４−０２−０）の代わりに使用した。
【００５４】
実施例１２
ＭがＮａである表１のアントラピリドンアゾ染料（１６）を、実施例１のように調製した。ただし、（Ｘ）の調製において、１−メチルアミノ−４−ブロモアントラキノン（ＣＡＳ１２８−９３−８）を、１−アミノ−４−ブロモアントラキノン（ＣＡＳ８１−６２−９）の代わりに使用し、式（ＩＸ）の化合物に関しては、４−ヒドロキシ−５−［（２，５，６−トリクロロピリミジン−４−イル）アミノ］ナフタレン−２，７−ジスルホン酸を、実施例１のベンゾイルＨ酸の代わりに使用した。４−ヒドロキシ−５−［（２，５，６−トリクロロピリミジン−４−イル）アミノ］ナフタレン−２，７−ジスルホン酸は、ＪＰ２０１０１１６４８９Ａに従って、化合物１５のシアヌル酸クロリドおよびＨ酸の代わりに、２，４，５，６−テトラクロロピリミジンおよびＫ酸を使用して合成した。
【００５５】
実施例１３
ＭがＮａである表１のアントラピリドンアゾ染料（１７）を、実施例１のように調製した。ただし、（Ｘ）の調製において、１−メチルアミノ−４−ブロモアントラキノン（ＣＡＳ１２８−９３−８）を、実施例１の１−アミノ−４−ブロモアントラキノン（ＣＡＳ８１−６２−９）の代わりに使用した。一般式（ＩＸ）の化合物は、４−ブロモスルホニルクロリドおよびＫ酸を、実施例１のｐ−トルエンスルホニルクロリドおよびＨ酸の代わりに使用して合成した。
【００５６】
実施例１４
ＭがＮａである表１のアントラピリドンアゾ染料（１８）を、実施例１のように調製した。ただし、式（ＩＸ）の化合物に関して、４−（｛４−クロロ−６−［（３−スルホプロピル）チオ］−１，３，５−トリアジン−２−イル｝アミノ）−５−ヒドロキシナフタレン−１，７−ジスルホン酸を、実施例１のベンゾイルＨ酸の代わりに使用した。４−（｛４−クロロ−６−［（３−スルホプロピル）チオ］−１，３，５−トリアジン−２−イル｝アミノ）−５−ヒドロキシナフタレン−１，７−ジスルホン酸は、ＵＳ２００８／０２０７８８１Ａ１の実施例２、式（２）、パート（ａ）および（ｂ）のように、Ｈ酸およびチオグリコール酸の代わりに、Ｋ酸（ＣＡＳ１３０−２３−４）およびナトリウム３−メルカプトプロパンスルホネート（ＣＡＳ１７６３６−１０−１）を使用して合成した。
【００５７】
実施例１５
ＭがＮａである表１のアントラピリドンアゾ染料（１９）を、実施例１のように調製した。ただし、式（ＩＸ）の化合物に関して、４−［（４，６−ジクロロ−１，３，５−トリアジン−２−イル）アミノ］−５−ヒドロキシナフタレン−１，７−ジスルホン酸を、実施例１のベンゾイルＨ酸の代わりに使用した。４−［（４，６−ジクロロ−１，３，５−トリアジン−２−イル）アミノ］−５−ヒドロキシナフタレン−１，７−ジスルホン酸は、特開ＪＰ２０１０−１１６４８９Ａの化合物（１５）のように、Ｈ酸（ＣＡＳ９０−２０−０）の代わりに、Ｋ酸（ＣＡＳ１３０−２３−４）を使用して合成した。
【００５８】
実施例１６
ＭがＮａである表１のアントラピリドンアゾ染料（２０）を、実施例３のように調製した。ただし、式（ＩＸ）の化合物に関して、４−ヒドロキシ−５−｛［（４−メチルフェニル）スルホニル］アミノ｝ナフタレン−２−スルホン酸を、実施例３のトシルＨ酸の代わりに使用した。
【００５９】
実施例１７
記録液の調製
本発明のアントラピリドンアゾ染料（１０Ａ）〜（１９）および現状技術の染料を使用して、本発明を、記録液に関して、下記の実施例によって説明する。
【００６０】
各染料に関して、必要量の染料（２．０〜４．５ｇ）、エチレングリコール（０．６ｇ）、プロピレン−１，２−グリコール（０．３ｇ）、１−メチル−２−ピロリドン（０．３ｇ）、Ｏｌｉｎ（登録商標）１０Ｇ（Ａｒｃｈ  Ｃｈｅｍｉｃａｌｓ  Ｉｎｃ．，Ｎｏｒｗａｌｋ，ＵＳＡから入手可能）（０．０３ｇ）の水溶液（５０％）、Ｓｕｒｆｉｎｏｌ（登録商標）４６５（Ａｉｒ  Ｐｒｏｄｕｃｔｓ  ａｎｄ  Ｃｈｅｍｉｃａｌｓ  Ｉｎｃ．，Ａｌｌｅｎｔｏｗｎ，ＵＳＡから入手可能）（０．０３ｇ）、および殺生物剤Ｍｅｒｇａｌ（登録商標）Ｋ１０Ｎ（Ｒｉｅｄｅｌ−ｄｅ−Ｈａｅｎ，Ｓｅｅｌｚｅ，Ｇｅｒｍａｎｙから入手可能）（０．０１ｇ）を、水と共に、５０℃の温度で、撹拌下に、約１時間、加熱することによって、１０ｇの記録液を調製した。得られた溶液を２０℃の温度に冷却し、水酸化ナトリウム水溶液（１Ｎ）でｐＨ値を７．５に調節した。その溶液を、孔径０．５μｍのＭｉｌｌｉｐｏｒｅ（登録商標）フィルタに通した。染料の量は、印刷画像の光学密度が全ての試験染料でほぼ同じになるように調節した。
【００６１】
記録液の適用の実施例
次に、Ｃａｎｏｎ  ｉＰ４０００  Ｐｉｘｍａ型のインクジェットプリンタを使用して、調製したインクを下記の記録材料に適用した。
１）ＩＬＦＯＲＤ  Ｐｒｅｍｉｕｍ  Ｐｌｕｓ  Ｉｎｓｔａｎｔ  Ｄｒｙ  Ｇｌｏｓｓｙ  Ｐａｐｅｒ  ＲＣ（インクジェット記録用紙）
２）ＳＴＡＲＴ（登録商標）紙（非コート紙）
マゼンタ・スクエア・パッチを印刷するために、インクを空のカートリッジに装填し、プリンタセットのイエローチャンネルに入れて、純粋インクだけが印刷されるようにした。ソフトウエアに関しては、Ｐｈｏｔｏｓｈｏｐ（登録商標）４（Ａｄｏｂｅ  Ｓｙｓｔｅｍｓ，Ｉｎｃ．）を使用した。そこで、プリンタセットは「ペーパ・フォト・プロ」に設定し、品質は「高」に設定し、色設定パラメータは「手動」オプションに設定した。ピクチャタイプに関しては、「なし」オプションを選択した。イエローパッチをＰｈｏｔｏｓｈｏｐ（登録商標）でデザインし、イエローカートリッジのマゼンタインクで印刷した。得られた着色パッチを、光安定性、染料飽和、および耐オゾン劣化性の測定に使用した。
【００６２】
試験
１．色濃度および色座標
印刷試料の色座標Ｌ＊ａ＊ｂを、分光光度計Ｓｐｅｃｔｒｏｌｉｎｏ（登録商標）（Ｇｒｅｔａｇ  Ｍａｃｂｅｔｈ，Ｒｅｇｅｎｓｏｒｆ，Ｓｗｉｔｚｅｒｌａｎｄから入手可能）を使用して反射モード（ＣＩＥ標準光源Ｄ５６を使用）で測定した。
【００６３】
２．オゾン劣化に対する安定性
着色パッチの光学密度を測定した後（上記参照）、印刷試料を、オゾンチャンバ９０３型（Ｓａｔｒａ／Ｈａｍｄｅｎ，Ｇｒｅａｔ  Ｂｒｉｔａｉｎから入手可能）において、３０℃の温度、５０％の空気の相対湿度、および１３ｍｍ／ｓのオゾン含有空気の循環速度における１ｐｐｍのオゾン濃度で、２４、４８および９６時間保管した。保管後、試料の着色スクエアパッチの色密度を再測定してＤＩＩを得た。オゾン処理による、着色パッチにおける染料の密度損失のパーセントは、下記式によって算出される。
ＤＬオゾン＝１００％＊（ＤＩ−ＤＩＩ）／ＤＩ
ＤＬオゾンの高値は、染料の良好なオゾン安定性を示す。オゾン劣化に対する染料の安定性（ＤＬオゾンとして示す）を、下記のように等級付けした。
Ａ：２０％未満の染料密度損失
Ｂ：２０％〜４０％の染料密度損失
Ｃ：４０％を超える染料密度損失
【００６４】
結果
【表２】
2019501248.tif 000032
【００６５】
インクジェット用紙上の印刷試料に関するＬ＊ａ＊ｂ値が表２の最後の欄に示されており、これらの数値は種々の染料の色相および色域を示す。１００％印刷密度における対応する光学密度も、表２に、ＯＤ最大として示されている。これらのＯＤは、記録液配合物に使用された染料の濃度に直接的に関係している。
【００６６】
表２の結果は、本発明による染料（１０Ａ）、（１０Ｂ）、（１１Ａ）、（１１Ｂ）、（１２Ａ）、（１２Ｂ）、（１２Ｃ）、（１３Ａ）、（１３Ｂ）、（１４）、（１５）、（１６）、（１７）、（１８）、（１９）および（２０）が、比較例（ＩＩ）（Ｍａｇｅｎｔａ  ｄｙｅ  Ｂａｙｓｃｒｉｐｔ（登録商標）ＢＢ（リアクティブレッド１４１））よりかなり優れたオゾン劣化に対する安定性を有することを直接的に示している。
【００６７】
印刷ヘッドの目詰まりを避け、より良い印刷性能を得るために、記録液における低い染料含有量が必要とされる。それに関して、表２の結果は、第４欄にＯＤ最大として示されている同様の飽和に達するために、本発明の染料と比較して５０％〜１００％多い比較例（Ｉ）の染料材料が必要であることを直接的に示している。このほかに、比較例（Ｉ）は、本発明の化合物１１Ａ、１１Ｂ、１２Ａ、１２Ｂ、１２Ｃおよび１３Ｂより一層青みを帯びた色相を示す。純粋な赤色の色相を得るために、より低いｂ＊値が必要とされる。比較例（Ｉ）はそのような要求を満たすことができない。
【国際調査報告】
2019501248.tif 000043
2019501248.tif 000044